(57)【特許請求の範囲】
【請求項１】
外装筐体に設けられた開口部を開閉するシャッター装置を備えたプロジェクターであって、
前記シャッター装置は、
移動可能な移動部材と、
前記移動部材に係合され、前記移動部材が移動することで前記開口部を開閉する羽根板と、
押圧されることよって接続状態が切り換えられる押圧スイッチと、
前記押圧スイッチが固定される固定部材と、
前記移動部材または前記固定部材に支持され、前記移動部材の移動に連動して前記移動部材の移動量より大きく移動し、前記押圧スイッチの接続状態を切り換える連動部材と、
を備えることを特徴とするプロジェクター。
【請求項２】
請求項１に記載のプロジェクターであって、
前記連動部材は、
前記移動部材に回転自在に支持される支持部と、
前記支持部から突出し、前記押圧スイッチを押圧する押圧部と、
前記支持部に対して前記押圧部の反対側に設けられ、前記移動部材の移動方向に対して交差する方向に移動可能に前記固定部材に係止される係止部と、
を備えていることを特徴とするプロジェクター。
【請求項３】
請求項１または請求項２に記載のプロジェクターであって、
前記押圧スイッチは、
接続状態を切り換える押しボタンと、
先端が屈曲された屈曲部を有し、前記屈曲部と前記連動部材とが当接することで前記押しボタンを押圧するレバーと、
を備え、
前記屈曲部と前記連動部材とは、前記移動部材の移動方向に沿って当接可能に形成されていることを特徴とするプロジェクター。
【請求項４】
請求項１〜請求項３のいずれか一項に記載のプロジェクターであって、
前記シャッター装置は、
前記移動部材を移動させる駆動機構をさらに備えていることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調し、変調した光をスクリーン等に投写するプロジェクターが知られている。また、外装筐体に設けられた開口部（例えば、排気口等）を開閉するための開閉機構を備えたプロジェクターが提案されている（例えば、特許文献１参照）。
【０００３】
特許文献１の開閉機構は、複数枚の羽板を有するルーバーをアームによってスライドノブに連繋し、スライドノブをスライドさせることによってルーバーを回動させ、排気口を開閉するように構成されている。また、特許文献１のプロジェクターは、スイッチ釦を有するスイッチを備えている。このスイッチは、排気口が開放された際にアームによって押され、排気口が閉塞された際に押されない状態となり、アームの位置を検出する。そして、プロジェクターは、このスイッチの検出結果に基づいて、ランプの点灯および消灯を制御する。
【先行技術文献】
【特許文献】
【０００４】
【特許文献１】特開２００３−３１５９１０号公報
【発明の概要】
【発明が解決しようとする課題】
【０００５】
しかしながら特許文献１に記載の技術は、アームの移動量が小さな場合、スイッチを確実に押すことが難しく、アームの移動量を大きくすると装置が大型化するという課題がある。また、各構成部品の寸法バラツキや組立てバラツキによって、スイッチを押すためのストロークが不足したり、ストロークが大き過ぎてスイッチにストレスを与えてしまったりする恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、外装筐体に設けられた開口部を開閉するシャッター装置を備えたプロジェクターであって、前記シャッター装置は、移動可能な移動部材と、前記移動部材に係合され、前記移動部材が移動することで前記開口部を開閉する羽根板と、押圧されることよって接続状態が切り換えられる押圧スイッチと、前記押圧スイッチが固定される固定部材と、前記移動部材または前記固定部材に支持され、前記移動部材の移動に連動して前記移動部材の移動量より大きく移動し、前記押圧スイッチの接続状態を切り換える連動部材と、を備えることを特徴とする。
【０００８】
この構成によれば、シャッター装置は、移動部材が移動すると、羽根板が開口部を開閉する。そして、押圧スイッチは、移動部材に連動して移動する連動部材に押圧されてオンからオフ、あるいはオフからオンに接続状態が切り換えられる。また、連動部材は、移動部材または固定部材に支持され、移動部材の移動量より大きく移動して押圧スイッチを押圧する。つまり、連動部材は、移動部の移動量を拡大して移動し、押圧スイッチの接続状態を切り換えることとなる。
これによって、移動部材の移動量が小さな構成であっても、押圧スイッチの接続状態を確実に切り換えることが可能となる。よって、押圧スイッチは、移動部材の位置を確実に検出し、プロジェクターは、押圧スイッチの検出結果に基づいて開口部の状態に対応した制御が可能となる。
【０００９】
［適用例２］上記適用例に係るプロジェクターにおいて、前記連動部材は、前記移動部材に回転自在に支持される支持部と、前記支持部から突出し、前記押圧スイッチを押圧する押圧部と、前記支持部に対して前記押圧部の反対側に設けられ、前記移動部材の移動方向に対して交差する方向に移動可能に前記固定部材に係止される係止部と、を備えていることが好ましい。
【００１０】
この構成によれば、連動部材は、係止部、支持部および押圧部がこの順で連設されている。そして、連動部材は、支持部が移動部材に回転自在に支持され、係止部が移動部材の移動方向と交差する方向に移動可能に固定部材に係止されている。これによって、連動部材は、支持部が回転しながら移動部材と共に移動し、係止部が固定部を摺動しながら移動することとなる。そして、係止部に対して支持部より離れた位置に形成されている押圧部は、移動部材の移動量より大きく移動することとなる。よって、連動部材が移動部材の移動量より大きく移動する構成を省スペースで達成しつつ、移動部材を移動させる力を効率的に連動部材に伝えて押圧スイッチの接続状態を切り換えることが可能となる。
【００１１】
［適用例３］上記適用例に係るプロジェクターにおいて、前記押圧スイッチは、接続状態を切り換える押しボタンと、先端が屈曲された屈曲部を有し、前記屈曲部と前記連動部材とが当接することで前記押しボタンを押圧するレバーと、を備え、前記屈曲部と前記連動部材とは、前記移動部材の移動方向に沿って当接可能に形成されていることが好ましい。
【００１２】
この構成によれば、押圧スイッチは、押しボタン、および屈曲部を有するレバーを備え、連動部材が屈曲部に当接することで押しボタンが押圧されて接続状態が切り換えられる。そして、屈曲部と連動部材とは、移動部材の移動方向に沿って当接可能に形成されている。これによって、移動部材等の部品寸法のバラツキや組立てバラツキによって、連動部材と屈曲部とが当接する位置がばらついた際にも、必要以上に押圧スイッチを押圧することが抑制される。よって、押圧スイッチの故障や破損を抑制しつつ、安定して押圧スイッチの接続状態を切り換えることが可能となる。
【００１３】
［適用例４］上記適用例に係るプロジェクターにおいて、前記シャッター装置は、前記移動部材を移動させる駆動機構をさらに備えていることが好ましい。
【００１４】
この構成によれば、シャッター装置は、駆動機構を備えているので、容易に移動部材を移動させて、羽根板による開口部の開閉が可能となる。また、押圧スイッチは、上述したように連動部材によって押圧される構成なので、移動部材の移動量が小さな構成であっても、移動部材の位置を確実に検出し、プロジェクターは、押圧スイッチの検出結果に基づいて駆動機構による開口部の開閉が可能となる。
【図面の簡単な説明】
【００１５】
【図１】本実施形態のプロジェクターの概略構成を示す模式図。
【図２】本実施形態の開放状態におけるシャッター装置の斜視図。
【図３】本実施形態のシャッター装置の分解斜視図。
【図４】本実施形態の羽根板の斜視図。
【図５】本実施形態の羽根板を上方から見た平面図。
【図６】本実施形態の閉塞状態におけるシャッター装置の平面図。
【図７】本実施形態の連動部材の斜視図。
【図８】本実施形態のシャッター装置を模式的に示す平面図。
【図９】本実施形態の開放状態におけるシャッター装置の平面図。
【図１０】変形例の検出部の模式図。
【発明を実施するための形態】
【００１６】
以下、本実施形態に係るプロジェクターについて、図面を参照して説明する。
本実施形態のプロジェクターは、光源から射出された光束を画像情報に応じて変調してスクリーン等に拡大投写する。
【００１７】
〔プロジェクターの主な構成〕
図１は、本実施形態のプロジェクター１の概略構成を示す模式図である。
プロジェクター１は、図１に示すように、外装筐体２、制御部（図示省略）、光源３１１を有する光学ユニット３、電源装置４、排気ファン５、シャッター装置６、および外気を取り込むための吸気ファン（図示省略）等を備えている。
【００１８】
外装筐体２は、詳細な説明は省略するが、図１に示すように、光学ユニット３から投写される光が通過する投写用開口部２１、光源３１１の点灯等によって温まった外装筐体２内の空気が外部に排出される排気口２２、および外気を取り込むための吸気口（図示せず）等の開口部が設けられている。
【００１９】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２０】
光学ユニット３は、制御部による制御の下、光源３１１から射出された光束を光学的に処理して投写する。
光学ユニット３は、図１に示すように、光源３１１を有する光源装置３１、インテグレーター照明光学系３２、色分離光学系３３、リレー光学系３４、電気光学装置３５、投写レンズ３６、およびこれらの部材３１〜３６を光路上の所定位置に配置する光学部品用筐体３７を備える。
【００２１】
光学ユニット３は、図１に示すように平面視略Ｌ字状に形成され、一方の端部に光源装置３１が着脱可能に配置され、他方の端部に投写レンズ３６が配置される。なお、以下では、説明の便宜上、光源装置３１から光束が射出される方向を＋Ｘ方向、投写レンズ３６から光束が射出される方向を＋Ｙ方向（前方向）、Ｘ方向およびＹ方向に直交し、プロジェクター１が机上等に据え置かれた姿勢における上方向を＋Ｚ方向（上方向）として記載する。
【００２２】
光源装置３１は、超高圧水銀ランプやメタルハライドランプ等からなる放電型の光源３１１、リフレクター３１２および光透過部材としての平行化レンズ３１３等を備えている。光源装置３１は、光源３１１から射出された光束をリフレクター３１２にて反射した後、平行化レンズ３１３よって射出方向を揃え、インテグレーター照明光学系３２に向けて射出する。
【００２３】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｃに対して略直交する面内にマトリクス状に配列される複数の小レンズを備えている。
【００２４】
第２レンズアレイ３２２は、第１レンズアレイ３２１と略同様の構成を有しており、重畳レンズ３２４とともに、第１レンズアレイ３２１から射出された部分光束を後述する液晶ライトバルブ３５１の表面に重畳させる。
偏光変換素子３２３は、第２レンズアレイ３２２から射出されたランダム偏光光を液晶ライトバルブ３５１で利用可能な略１種類の偏光光に揃える機能を有する。
【００２５】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００２６】
リレー光学系３４は、入射側レンズ３４１、リレーレンズ３４３、および反射ミラー３４２，３４４を備え、色分離光学系３３で分離されたＲ光をＲ光用の液晶ライトバルブ３５１Ｒまで導く機能を有する。なお、光学ユニット３は、リレー光学系３４がＲ光を導く構成としているが、これに限らず、例えば、Ｂ光を導く構成としてもよい。
【００２７】
電気光学装置３５は、光変調装置としての液晶ライトバルブ３５１および色合成光学装置としてクロスダイクロイックプリズム３５２を備え、色分離光学系３３で分離された各色光を画像情報に応じて変調し、変調した各色光を合成する。
【００２８】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、およびその両面に配置された入射側偏光板、射出側偏光板を有している。
【００２９】
液晶ライトバルブ３５１は、図示しない微小画素がマトリクス状に形成された矩形状の画素領域を有し、各画素が表示画像信号に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００３０】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００３１】
投写レンズ３６は、複数のレンズを組み合わせた組レンズとして構成され、液晶ライトバルブ３５１にて変調され、クロスダイクロイックプリズム３５２にて合成された光をスクリーン上に拡大投写する。
【００３２】
電源装置４は、詳細な説明は省略するが、電源ブロックおよび光源装置３１を駆動する光源駆動ブロックを備え、制御部および光源３１１等の電子部品に電力を供給する。
【００３３】
排気ファン５は、光源装置３１近傍の空気を排出する光源用排気ファン５１、および電源装置４近傍の空気を排出する電源用排気ファン５２を備えている。光源用排気ファン５１および電源用排気ファン５２は、軸流ファンで構成され、図１に示すように、光源装置３１および電源装置４の−Ｘ方向に並設されており、外装筐体２内の空気を排気口２２から外部に排出する。
【００３４】
シャッター装置６は、図１に示すように、排気口２２に配置され、排気口２２を開閉可能に構成されている。シャッター装置６は、制御部による制御の下、プロジェクター１の動作時に排気口２２を開放し、プロジェクター１の非動作時に排気口２２を閉塞するように構成されている。以下、排気口２２が開放された状態を開放状態、排気口２２が閉塞された状態を閉塞状態という。
【００３５】
〔シャッター装置の構成〕
ここで、シャッター装置６について、詳細に説明する。
図２は、開放状態におけるシャッター装置６の斜視図である。
図３は、シャッター装置６の分解斜視図であり、後述する検出部９近傍の図である。
シャッター装置６は、図２に示すように、Ｙ方向に沿って複数配置された羽根板７、および開閉機構８を備えている。シャッター装置６は、開閉機構８が羽根板７を回転させることによって排気口２２を開閉する。
【００３６】
先ず、羽根板７について説明する。
図４は、羽根板７の斜視図である。図５は、羽根板７を上方から見た平面図である。具体的に、図５は、開放状態の羽根板７（図５において実線で示す）、および閉塞状態の羽根板７（図５において２点鎖線で示す）を示す図である。
羽根板７は、図４、図５に示すように、羽根板本体部７１、回転軸７２、およびカムピン７３を有している。
羽根板本体部７１は、上下方向が長手方向となる平面視矩形の板状に形成され、短手方向の先端部分は、クランク状に屈曲されている。
【００３７】
回転軸７２は、中心軸Ａを中心とする円柱状に形成されている。回転軸７２は、図４に示すように、羽根板本体部７１の上端面、下端面からそれぞれ突出し、Ｚ方向に延出している。
【００３８】
羽根板本体部７１の上部には、図４、図５に示すように、−Ｘ側の面から突出する突起部７４が設けられている。
カムピン７３は、この突起部７４から＋Ｚ方向に突出しており、中心軸Ａと同一方向に延出する中心軸Ｂを中心として円柱状に形成されている。
カムピン７３には、開閉機構８の後述する移動部材８３が係合される。羽根板７は、移動部材８３が移動されることによって、カムピン７３が移動し、中心軸Ａを中心に回転する。
【００３９】
次に、開閉機構８について説明する。
開閉機構８は、図２、図３に示すように、第１フレーム８１、固定部材としての第２フレーム８２、移動部材８３、駆動機構８０、および検出部９を備えている。
【００４０】
第１フレーム８１は、図２、図３に示すように、中央部に平面視矩形の開口部を有して枠状に形成され、排気口２２を囲むように外装筐体２の内部に取り付けられる。
第１フレーム８１は、上部を形成する上枠部８１１、および下部を形成する下枠部８１２を有している。下枠部８１２の内面には、羽根板７の下側の回転軸７２が挿入される軸受穴（図示省略）が等間隔に形成されている。また、第１フレーム８１には、図２に示すように、Ｙ方向の略中央部分に、上枠部８１１から下枠部８１２に跨って形成され、光源装置３１側と電源装置４側とを区画する区画部８１３が設けられている。
【００４１】
第２フレーム８２は、図２に示すように、Ｙ方向に延びる矩形板状に形成され、第１フレーム８１の上枠部８１１にネジＳＣによって取り付けられる。
第２フレーム８２の上面には、図３に示すように、下方に窪み、長手方向に沿って延びる案内溝８２１が形成されている。そして、この案内溝８２１の底部分には、軸受孔８２２および規制孔８２３が設けられている。
【００４２】
軸受孔８２２は、第１フレーム８１の下枠部８１２に形成された軸受孔と対向する位置に複数形成されており、複数の羽根板７の上側の回転軸７２が挿入される。規制孔８２３は、各軸受孔８２２の−Ｘ方向に設けられ、軸受孔８２２の中心軸を同芯として円弧状に形成されている。この規制孔８２３には、羽根板７のカムピン７３が挿入される。
【００４３】
複数の羽根板７は、上下の回転軸７２が第１フレーム８１の軸受孔、第２フレーム８２の軸受孔８２２にそれぞれ挿入され、カムピン７３が規制孔８２３に挿入されて第１フレーム８１の開口部に回転可能に配置される。また、各羽根板７は、カムピン７３が案内溝８２１の底部より上方に飛び出して配置され、規制孔８２３の両側の端面にカムピン７３が当接することで回転する範囲が規制される。
【００４４】
さらに、第２フレーム８２には、図３に示すように、スイッチ固定部８２４、係合溝８２５、およびバネ掛止部８２６が設けられている。
スイッチ固定部８２４は、検出部９の後述する押圧スイッチ９１が固定される部位である。スイッチ固定部８２４は、図２、図３に示すように、第２フレーム８２の＋Ｙ側端部近傍に設けられ、＋Ｘ方向に突出して形成されている。スイッチ固定部８２４には、押圧スイッチ９１を位置決めして固定するための位置決め用穴８２４１、およびネジ穴８２４２が設けられている。
【００４５】
係合溝８２５は、図２、図３に示すように、案内溝８２１に対してスイッチ固定部８２４の反対側に形成されている。係合溝８２５は、Ｘ−Ｚ平面に沿って上方に突出する２つの板状の間に形成された溝であり、検出部９の後述する連動部材９２の係止部９２４が係止される。
【００４６】
バネ掛止部８２６は、第２フレーム８２の＋Ｙ側端部に設けられており、後述する引張コイルバネ８４の一方のフックが掛止されるように、上方に突出している。
【００４７】
移動部材８３は、第２フレーム８２の案内溝８２１に配置され、Ｙ方向に移動可能に構成されている。
移動部材８３は、図２に示すように、Ｙ方向が長手方向となる長尺状に形成され、案内溝８２１に遊嵌され、案内溝８２１に沿って移動可能に形成されている。移動部材８３には、長孔８３１（図２参照）、および支持軸８３２（図３参照）が形成されている。
【００４８】
長孔８３１は、長手方向に沿って等間隔（複数の羽根板７の配設間隔）に複数形成されており、この長孔８３１には、案内溝８２１の底部より上方に飛び出した羽根板７のカムピン７３が挿入される。長孔８３１は、図５に示すように、短手方向が羽根板７のカムピン７３と係合するような大きさに形成され、長手方向が移動部材８３の移動方向に直交する方向（Ｘ方向）となるように形成されている。
【００４９】
支持軸８３２は、第２フレーム８２の係合溝８２５近傍に形成され、図３に示すように、下側より上側の径が小さな２つの円柱形の突起が中心軸を同一にして積層されて形成されている。そして、支持軸８３２には、中心軸を同芯とするネジ穴が設けられている。
また、移動部材８３には、図３に示すように、−Ｙ側の端部に引張コイルバネ８４の他方のフックが掛止されるバネ掛止部８３３が形成されている。
【００５０】
移動部材８３は、長孔８３１に羽根板７のカムピン７３が挿入され、前述したように、第２フレーム８２の案内溝８２１に配置される。そして、移動部材８３は、図５に示すように、Ｙ方向に移動されることによって、長孔８３１に係合しているカムピン７３を移動させ、カムピン７３が移動された羽根板７は、中心軸Ａを中心に回転する。
【００５１】
駆動機構８０は、引張コイルバネ８４およびソレノイド８５を備え、移動部材８３を移動させる機能を有している。
引張コイルバネ８４は、図２に示すように、一方のフックが移動部材８３のバネ掛止部８３３に掛止され、他方のフックが第２フレーム８２のバネ掛止部８２６に掛止され、移動部材８３を＋Ｙ方向に付勢する。
【００５２】
ソレノイド８５は、引張コイルバネ８４の付勢力に抗して移動部材８３を移動させるものである。ソレノイド８５は、励磁コイル、固定鉄芯、永久磁石（いずれも図示省略）、および可動鉄芯８５１を備えている。ソレノイド８５は、図２に示すように、可動鉄芯８５１が移動部材８３の−Ｙ側の端部に接続されて配置される。
【００５３】
ここで、ソレノイド８５および駆動機構８０の動作について説明する。
ソレノイド８５は、励磁コイルに電流が供給されることで可動鉄芯８５１が移動し、移動部材８３は、可動鉄芯８５１に追従して移動する。
具体的に、ソレノイド８５は、励磁コイルに吸引電流が供給されると、吸引状態となり、可動鉄芯８５１は、固定鉄芯に引き寄せられて突出量が小さくなるように移動する。可動鉄芯８５１に接続されている移動部材８３は、引張コイルバネ８４の付勢力に抗して可動鉄芯８５１と共に−Ｙ側に移動する。
【００５４】
次に、ソレノイド８５は、吸引状態において電流の供給が停止されると、永久磁石の起磁力により生じる可動鉄芯８５１と固定鉄芯との間の吸引力により吸引状態が保持され、移動部材８３は、−Ｙ側に移動した状態が維持される。
【００５５】
次に、ソレノイド８５は、励磁コイルに吸引状態とは逆方向の復帰電流が供給されると、励磁コイルによる磁束と永久磁石による磁束とが打ち消し合う。そして、可動鉄芯８５１と固定鉄芯との間の吸引力が減少し、引張コイルバネ８４の付勢力よりも小さくなる。これにより、可動鉄芯８５１は、固定鉄芯と離れる方向に移動し、移動部材８３は、引張コイルバネ８４に付勢されて＋Ｙ側に移動する。
このように、駆動機構８０は、ソレノイド８５に供給される電力に応じて移動部材８３を移動させる。
【００５６】
次に、検出部９について説明する。検出部９は、移動部材８３の位置を検出する。
図６は、閉塞状態におけるシャッター装置６の平面図であり、検出部９近傍を上方から見た図である。
検出部９は、図３、図６に示すように、押圧スイッチ９１および連動部材９２を備え、押圧スイッチ９１は、固定部材としての第２フレーム８２に固定され、連動部材９２は、移動部材８３に回転自在に支持される。
【００５７】
押圧スイッチ９１は、スイッチ本体部９１１およびレバー９１２を備え、押圧によって接続状態が切り換えられる。
スイッチ本体部９１１は、図６に示すように、直方体状に形成され、その１面（面９１１Ｓ）の端部近傍から押しボタン９１１Ａが突出している。
【００５８】
レバー９１２は、板状に形成されており、スイッチ本体部９１１の押しボタン９１１Ａと反対側の端部に一端が片持ち支持されている。レバー９１２は、支持されている部位から面９１１Ｓに対して傾斜する平坦部９１２Ａ、およびレバー９１２の先端部に形成され、平坦部９１２Ａに対してスイッチ本体部９１１側に屈曲された屈曲部９１２Ｂを有している。
【００５９】
レバー９１２は、押圧されると、支持されている部位を支点として回転し、所定の位置まで回転されると、平坦部９１２Ａが押しボタン９１１Ａを押圧する。押圧スイッチ９１は、押しボタン９１１Ａが押圧されることによって接続状態が切り換えられる。
【００６０】
押圧スイッチ９１は、ケーブルＣＡを介して制御部に接続され、図６に示すように、面９１１ＳがＹ−Ｚ平面に対して傾斜し、押しボタン９１１Ａの＋Ｙ方向に平坦部９１２Ａが位置するようにスイッチ固定部８２４にネジ固定される。
【００６１】
連動部材９２は、移動部材８３の移動に連動して押圧スイッチ９１を押圧するように形成され、移動部材８３の支持軸８３２に回転自在に支持される。
図７は、連動部材９２の斜視図であり、図７（ａ）は、上方から見た図、図７（ｂ）は、下方から見た図である。
【００６２】
連動部材９２は、図７に示すように、支持部９２１、押圧部９２２、突出部９２３、および係止部９２４を有している。
支持部９２１は、支持軸８３２に回転自在に支持される部位であり、支持軸８３２としての２つの円柱形の突起が挿入されるように、２つの内径寸法を有する筒状に形成されている。
【００６３】
押圧部９２２は、支持部９２１の外面から突出し、押圧スイッチ９１を押圧可能に形成されている。
突出部９２３は、押圧部９２２の反対側に支持部９２１の外面からから突出して形成されている。
係止部９２４は、突出部９２３から下方（−Ｚ方向）に突出しており、第２フレーム８２の係合溝８２５に挿入可能な円柱状に形成されている。また、係止部９２４は、移動部材８３の移動方向（Ｙ方向）に交差する方向、具体的には、Ｘ方向に移動可能に係合溝８２５に係合されている。
【００６４】
このように、連動部材９２は、係止部９２４が支持部９２１に対して押圧部９２２の反対側に設けられ、上方から見て、押圧部９２２、支持部９２１および係止部９２４がこの順で連設されている。
そして、連動部材９２は、係止部９２４が係合溝８２５に挿入され、支持部９２１が座金Ｗ（図３参照）を介して支持軸８３２に回転自在にネジ固定され、押圧部９２２が移動部材８３の＋Ｘ側より飛び出して配置される。
【００６５】
〔シャッター装置の動作〕
ここで、シャッター装置６の動作について、説明する。
図８は、シャッター装置６を模式的に示す平面図であり、図８（ａ）は、閉塞状態を示す図、図８（ｂ）は開放状態を示す図である。
【００６６】
プロジェクター１は、非動作時にシャッター装置６を閉塞状態にする。
シャッター装置６は、移動部材８３が引張コイルバネ８４によって付勢され、＋Ｙ側に位置する状態で、閉塞状態となる。具体的に、羽根板７は、移動部材８３が＋Ｙ側に位置する状態において、図８（ａ）に示すように、カムピン７３が回転軸７２に対して＋Ｙ方向に位置し、各羽根板本体部７１がＹ方向に沿い、隣り合う各羽根板本体部７１の屈曲された先端が重なるように配置されて閉塞状態となる。
【００６７】
この閉塞状態において、連動部材９２は、図６に示すように、押圧部９２２が係止部９２４より＋Ｙ方向に位置して傾斜するように配置される。そして、押圧部９２２は、レバー９１２の＋Ｙ方向に、レバー９１２と離間して配置され、押圧スイッチ９１は、押圧されない状態となる。
【００６８】
この閉塞状態から電源がオンされてプロジェクター１が動作状態になると、制御部の制御によってソレノイド８５に吸引電流が供給される。ソレノイド８５に吸引電流が供給されると、前述したように、ソレノイド８５は、引張コイルバネ８４の付勢力に抗して移動部材８３を−Ｙ方向に移動させる。
【００６９】
移動部材８３が−Ｙ方向に移動すると、各羽根板７は、図５に示すように、移動部材８３に係合されているカムピン７３が−Ｙ方向に移動することによって、回転軸７２を中心に回転（図５の図面視における時計回りに回転）する。そして、隣り合う各羽根板７の間には、図８（ｂ）に示すように、開口部がそれぞれ形成され、シャッター装置６は、開放状態となる。
【００７０】
図９は、開放状態におけるシャッター装置６の平面図であり、検出部９近傍を上方から見た図である。
閉塞状態から移動部材８３が−Ｙ方向に移動すると、連動部材９２は、支持軸８３２（図３参照）に軸支されている支持部９２１が支持軸８３２に対して回転しながら−Ｙ方向に移動し、係止部９２４が係合溝８２５を−Ｘ方向に摺動する。
【００７１】
そして、押圧部９２２は、レバー９１２の＋Ｙ方向から平坦部９１２Ａに当接した後、図９に示すように、屈曲部９１２Ｂに当接する。連動部材９２は、押圧部９２２が屈曲部９１２Ｂに当接する位置において、押圧部９２２、支持部９２１および係止部９２４が上方から見て、略Ｘ方向に沿うような姿勢となる。そして、押圧スイッチ９１は、押圧部９２２が屈曲部９１２Ｂに当接を開始する位置において押しボタン９１１Ａが押圧されて接続状態が切り換えられる。
【００７２】
閉塞状態から開放状態に切り換えられる際に、図９に示すように、押圧部９２２の移動量Ｌ１は、支持部９２１の移動量Ｌ２より大きくなる。つまり、押圧部９２２は、移動部材８３の移動量より大きく移動して押圧スイッチ９１を押圧する。
また、屈曲部９１２Ｂは、図９に示すように、押圧部９２２に当接した状態でＹ方向に沿うように配置される。つまり、屈曲部９１２Ｂと連動部材９２とは、移動部材８３の移動方向に沿って当接可能に形成されている。
【００７３】
制御部は、押圧スイッチ９１の接続状態が切り換えられた結果（検出結果）に基づいて、ソレノイド８５への電流の供給を停止させる。ソレノイド８５は、前述したように、電流の供給が停止された際にも、永久磁石により吸引状態が保持されるので、シャッター装置６は、開放状態を維持する。この開放状態において、プロジェクター１の動作に伴って温まった外装筐体２内の空気は、排気ファン５によって、開放された排気口２２から排出される。
【００７４】
一方、プロジェクター１の動作が停止される際には、排気ファン５の駆動が停止された後、制御部の制御によってソレノイド８５に復帰電流が供給される。そして、移動部材８３は、引張コイルバネ８４に付勢されて＋Ｙ側に移動する。
【００７５】
移動部材８３が＋Ｙ方向に移動すると、移動部材８３に係合されているカムピン７３が＋Ｙ方向に移動し、各羽根板７は、回転軸７２を中心に回転（図５における反時計回りに回転）し、シャッター装置６は、閉塞状態となる。
【００７６】
また、移動部材８３が＋Ｙ方向に移動すると、連動部材９２は、支持部９２１が支持軸８３２に対して回転しながら＋Ｙ方向に移動し、係止部９２４が係合溝８２５を＋Ｘ方向に摺動する。そして、押圧部９２２は、徐々に＋Ｙ方向に傾斜するように移動し、レバー９１２の屈曲部９１２Ｂに当接した状態から、平坦部９１２Ａに当接した後、図６に示すように、レバー９１２から離間する。押圧スイッチ９１は、押圧部９２２が屈曲部９１２Ｂから平坦部９１２Ａに移動する位置において押しボタン９１１Ａの押圧が解除され、接続状態が切り換えられる。
【００７７】
制御部は、押圧スイッチ９１の検出結果に基づいて、ソレノイド８５への電流の供給を停止させ、シャッター装置６は、閉塞状態が維持される。
【００７８】
このように、シャッター装置６は、駆動機構８０が移動部材８３を移動させることによって、羽根板７を回転させ、排気口２２を開閉する。
そして、連動部材９２は、移動部材８３に連動して移動部材８３の移動量より大きく移動し、押圧スイッチ９１の接続状態を切り換える。具体的には、押圧スイッチ９１は、開放状態において押圧され、閉塞状態において押圧が解除される。そして、制御部は、押圧スイッチ９１の検出結果に基づいて、ソレノイド８５や排気ファン５等の動作を制御する。
【００７９】
以上説明したように、本実施形態のプロジェクター１によれば、以下の効果を得ることができる。
（１）連動部材９２は、移動部材８３の移動量より大きく移動して押圧スイッチ９１の接続状態を切り換える。これによって、移動部材８３の移動量が小さな構成であっても、押圧スイッチ９１を確実に押圧することが可能となる。よって、押圧スイッチ９１は、移動部材８３の位置を確実に検出し、プロジェクター１は、押圧スイッチ９１の検出結果に基づく動作が可能となる。
【００８０】
（２）連動部材９２は、係止部９２４、支持部９２１および押圧部９２２がこの順で連設されている。そして、連動部材９２は、支持部９２１が移動部材８３に回転自在に支持され、係止部９２４が移動部材８３の移動方向と交差する方向に移動可能に第２フレーム８２に係止されている。これによって、連動部材９２が移動部材８３の移動量より大きく移動する構成を省スペースで達成しつつ、移動部材８３を移動させる力を効率的に連動部材９２に伝えて押圧スイッチ９１の接続状態を切り換えることが可能となる。
【００８１】
（３）押圧スイッチ９１は、連動部材９２の押圧部９２２が屈曲部９１２Ｂに当接することで押しボタン９１１Ａが押圧されて接続状態が切り換えられる。そして、屈曲部９１２Ｂと押圧部９２２とは、移動部材８３の移動方向に沿って当接可能に形成されている。これによって、移動部材８３等の部品寸法のバラツキや組立てバラツキによって、押圧部９２２がさらに−Ｙ方向に移動した際にも、必要以上に押圧スイッチ９１を押圧することが抑制される。よって、押圧スイッチ９１の故障や破損を抑制しつつ、安定して押圧スイッチ９１の接続状態を切り換えることが可能となる。また、寸法バラツキの小さな特殊な押圧スイッチ等を用いることなく簡易な構成で移動部材８３の位置を精度良く検出することが可能となる。
【００８２】
（４）羽根板７は、移動部材８３の移動によって排気口２２を開閉し、押圧スイッチ９１は、移動部材８３の移動によって接続状態が切り換えられる。これによって、プロジェクター１は、押圧スイッチ９１の検出結果に基づいて排気口２２の状態を検知することができる。よって、プロジェクター１は、排気口２２の状態に対応して排気ファン５や駆動機構８０等の制御が可能となる。したがって、外装筐体２内が高温になることの抑制や、プロジェクター１を使用しない際の排気口２２からの塵埃の侵入の抑制等が可能となる。
また、押圧スイッチ９１は、上述したように連動部材９２によって押圧される構成なので、移動部材８３の移動量が小さな構成であっても、移動部材８３の位置を確実に検出することが可能となり、シャッター装置６の小型化ひいてはプロジェクター１の小型化が図れる。
【００８３】
（変形例）
なお、前記実施形態は、以下のように変更してもよい。
前記実施形態の連動部材９２は、移動部材８３に回転可能に支持されているが、連動部材が固定部材に支持されるように構成してもよい。
図１０は、変形例の検出部９を示す模式図である。変形例の検出部９は、図１０に示すように、前記実施形態と同様の押圧スイッチ９１、および連動部材１９２を備えている。連動部材１９２は、図示しない固定部材に回転自在に支持される支持部１９２１、支持部１９２１から突出する当接部１９２２、および支持部１９２１に対して当接部１９２２の反対側に設けられ、移動部材８３に係止される係止部１９２３を備えている。係止部１９２３は、支持部１９２１からの距離が当接部１９２２より小さく形成されている。
そして、移動部材８３が移動されると、連動部材１９２は、移動部材８３に連動して係止部１９２３が移動し、支持部１９２１を中心に回転する。当接部１９２２は、移動部材８３の移動量より大きく移動してレバー９１２を押圧し、押圧スイッチ９１の接続状態を切り換える。このように、連動部材１９２を固定部材に回転自在に支持されるように構成しても、当接部１９２２が移動部材８３の移動量より大きく移動し、押圧スイッチ９１を押圧することが可能となる。
【００８４】
前記実施形態の駆動機構８０は、励磁コイルに吸引電流が供給された際に、可動鉄芯８５１の突出量が小さくなるプル型のソレノイド８５、および引張コイルバネ８４を用いて構成されているが、この構成に限らない。例えば、可動鉄芯８５１にプッシュバーを装着し、吸引電流が供給された際に、プッシュバーの飛び出し量が増えるプッシュ型のソレノイド、および圧縮コイルバネを用いることによって駆動機構８０を構成してもよい。また、ソレノイドに代えてモーターを用いて駆動機構８０を構成してもよい。
【００８５】
前記実施形態の押圧スイッチ９１は、開放状態において押圧され、閉塞状態において押圧が解除されるように構成されているが、閉塞状態において押圧され、開放状態において押圧が解除されるように構成してもよい。
【００８６】
前記実施形態のシャッター装置６は、排気口２２を開閉するように構成されているが、外装筐体２の他の開口部、例えば投写用開口部２１等を開閉するように構成してもよい。
【００８７】
前記実施形態のプロジェクター１は、光変調装置として透過型の液晶ライトバルブ３５１を用いているが、反射型液晶ライトバルブを利用したものであってもよい。
【００８８】
光源３１１は放電型のランプに限らず、その他の方式のランプや発光ダイオード等の固体光源で構成してもよい。
【符号の説明】
【００８９】
１…プロジェクター、２…外装筐体、３…光学ユニット、４…電源装置、５…排気ファン、６…シャッター装置、７…羽根板、８…開閉機構、９…検出部、２２…排気口、３１…光源装置、８０…駆動機構、８２…第２フレーム、８３…移動部材、８４…引張コイルバネ、８５…ソレノイド、９１…押圧スイッチ、９２…連動部材、８２１…案内溝、８２２…軸受孔、８２３…規制孔、８２５…係合溝、８３２…支持軸、９１１…スイッチ本体部、９１１Ａ…押しボタン、９１２…レバー、９１２Ａ…平坦部、９１２Ｂ…屈曲部、９２１…支持部、９２２…押圧部、９２４…係止部、Ｌ１，Ｌ２…移動量。
【図１】
0005482636.tif 000002
【図２】
0005482636.tif 000003
【図３】
0005482636.tif 000004
【図４】
0005482636.tif 000005
【図５】
0005482636.tif 000006
【図６】
0005482636.tif 000007
【図７】
0005482636.tif 000008
【図８】
0005482636.tif 000009
【図９】
0005482636.tif 000010
【図１０】
0005482636.tif 000011